【手続補正書】
【提出日】平成17年2月9日(2005.2.9)
【手続補正１】
【補正対象書類名】明細書
【補正対象項目名】全文
【補正方法】変更
【補正の内容】
【書類名】      明細書
【発明の名称】  スピニングリールのロータ
【特許請求の範囲】
【請求項１】
スピニングリールのリール本体に回転自在に装着され、釣り糸をスプールに巻き付けるスピニングリールのロータであって、
前記リール本体の一端に回転自在に装着される支持部と、
前記支持部の前記リール本体側端部の径方向に対向する位置から前記リール本体から離れる方向に延び、かつ少なくともいずれか一方の外表面に形成された複数の凹凸部を有する第１及び第２ロータアームと、
前記両ロータアームの先端に揺動自在に装着された釣り糸案内用のベールアームと、
を備えたスピニングリールのロータ。
【請求項２】
前記第１及び第２ロータアームは、
前記支持部の前記リール本体に接近する側の外周面に対向して配置された第１及び第２接続部と、
前記第１及び第２第１接続部から前記リール本体から離れる方向に延びる第１及び第２アーム部と、
前記両アーム部の少なくとも一方の外方を覆い、かつ外表面に前記複数の凹凸部を有するカバー部材とをそれぞれ有する、請求項１に記載のスピニングリールのロータ。
【請求項３】
前記カバー部材は、前記両アーム部の少なくとも一方に着脱自在に装着されている、請求項２に記載のスピニングリールのロータ。
【請求項４】
前記ベールアームは、前記第１及び第２ロータアームの先端にそれぞれ揺動自在に装着された第１及び第２ベール支持部材と、前記第１ベール支持部材に設けられた固定軸と、前記固定軸に回転自在に装着されたラインローラと、前記固定軸の先端に設けられた固定軸カバーと、前記第２ベール支持部材と前記固定軸カバーとを連結するベールとを有し、
前記カバー部材は、前記第２アーム部の外方を覆っている、請求項２又は３に記載のスピニングリールのロータ。
【請求項５】
前記凹凸部は、前記カバー部材を貫通する貫通孔である、請求項２から４のいずれかに記載のスピニングリールのロータ。
【請求項６】
前記凹凸部は、前記ロータアームの外表面から凹んで形成された凹部である、請求項１から４のいずれかに記載のスピニングリールのロータ。
【請求項７】
前記凹凸部は、前記ロータアームの外表面から突出して形成された凸部である、請求項１から４のいずれかに記載のスピニングリールのロータ。
【発明の詳細な説明】
【０００１】
【発明の属する技術分野】
本発明は、ロータ、特に、スピニングリールのリール本体に回転自在に装着され、釣り糸をスプールに巻き付けるスピニングリールのロータに関する。
【０００２】
【従来の技術】
スピニングリールは、一般に、釣竿に装着されるリール本体と、リール本体に回転自在に装着された釣り糸案内用のロータと、ロータにより案内された釣り糸を巻き取るスプールとを有している。ロータは、ロータ本体と、ロータ本体に揺動自在に装着されたベールアームとを有している。
【０００３】
ロータ本体は、リール本体に回転自在に装着された円筒部（支持部の一例）と、円筒部の後端部から径方向外方に延びる対向して配置された第１及び第２ロータアームとを有している。両ロータアームは、円筒部の後端部に対向して配置された第１及び第２接続部及び各接続部から屈曲し円筒部と間隔を隔ててそれぞれ前方に延びる第１及び第２アーム部とを有している。円筒部は、後端部に他の部分より大径のリング状の大径部を有しており、大径部の外周面の対向する位置で１対の接続部が径方向外方に延びている。
【０００４】
この種のロータにおいて、両ロータアームの外側面に傷つきを防止するためのカバー部材が装着されているものが従来知られている。カバー部材は、釣り竿に装着したまま地面にスピニングリールを置いたとき地面に接触しやすい部位に装着されている。カバー部材は、たとえばステンレス合金などの比較的硬質で腐食しにくい金属を用いたり、合成樹脂やアルミニウムなどの軟質の金属の表面に比較的硬質のＵＶ塗料などの硬質コーティングを形成したものを用いている。また、合成ゴム等の弾性部材のプロテクターでカバー部材を覆うことも従来行われている。カバー部材を設けることにより、傷つきを防止とともに、仮にカバー部材が傷ついても交換することによりもとのきれいな状態に戻すことができる。
【０００５】
【発明が解決しようとする課題】
前記従来のロータでは、ロータアームの外側面をたとえば硬質のステンレス合金製のカバー部材で覆っても、擦過傷を免れることが難しい。しかも擦過傷はロータアームの姿勢によってはカバー部材の全面に拡がって目立つものになる。このため、スピニングリールの使用によりカバー部材が全体が傷ついて見栄えが悪くなることがある。また、硬質コーティングやプロテクターを設ける場合は、金属質の高級感が得られないとともにコストの増大を招くおそれがある。
【０００６】
本発明の課題は、カバー部材が装着されたスピニングリールのロータにおいて、ロータアームの傷つきによる見栄えの悪化を高級感を損なうことなく安価に抑えることにある。
【０００７】
【課題を解決するための手段】
発明１に係るスピニングリールのロータは、スピニングリールのリール本体に回転自在に装着され、釣り糸をスプールに巻き付けるロータであって、支持部と、第１及び第２ロータアームと、ベールアームとを備えている。支持部は、リール本体の一端に回転自在に装着されるものである。第１及び第２ロータアームは、支持部のリール本体側端部の径方向に対向する位置からリール本体から離れる方向に延び、かつ少なくともいずれか一方の外表面に形成された複数の凹凸部を有するものである。ベールアームは、両ロータアームの先端に揺動自在に装着された釣り糸案内用のものである。
【０００８】
このロータでは、両ロータアームの少なくともいずれか一方の外表面に複数の凹凸部が形成されているので、釣り竿に装着した状態でスピニングリールの地面に置いた場合、地面との接触面積が複数の凹凸部がないものに比べて減少する。このため、使用により擦過傷ができてもそれが全体に拡がりにくくなり、ロータアームの傷つきによる見栄えの悪化を抑えることができる。しかも、プロテクターを設ける必要がないので、高級感を損なうことなくコストの増大を抑えることができる。
【０００９】
発明２に係るスピニングリールのロータは、発明１に記載のロータにおいて、第１及び第２ロータアームは、支持部のリール本体に接近する側の外周面に対向して配置された第１及び第２接続部と、第１及び第２第１接続部からリール本体から離れる方向に延びる第１及び第２アーム部と、両アーム部の少なくとも一方の外方を覆い、かつ外表面に複数の凹凸部を有するカバー部材とをそれぞれ有する。この場合には、カバー部材に複数の凹凸部が設けられているので使用により擦過傷ができてもそれが全体に拡がりにくくなり、カバー部材の傷つきによる見栄えの悪化を抑えることができる。しかも、プロテクターを設ける必要がないので、高級感を損なうことなくコストの増大を抑えることができる。
【００１０】
発明３に係るスピニングリールのロータは、発明２に記載のロータにおいて、カバー部材は、両アーム部の少なくとも一方に着脱自在に装着されている。この場合は、カバー部材が傷ついて見栄えが悪くなっても交換によりもとのきれいな状態に戻すことができる。
【００１１】
発明４に係るスピニングリールのロータは、発明２又は３に記載のロータにおいて、ベールアームは、第１及び第２ロータアームの先端にそれぞれ揺動自在に装着された第１及び第２ベール支持部材と、第１ベール支持部材に設けられた固定軸と、固定軸に回転自在に装着されたラインローラと、固定軸の先端に設けられた固定軸カバーと、第２ベール支持部材と固定軸カバーとを連結するベールとを有し、カバー部材は、第２アーム部の外方を覆っている。この場合には、内部にベール反転機構などの機構を設ける必要がない第２アーム部の外方を凹凸部を有するカバー部材が覆っているので、凹凸部の形状を自由に設定でき、意匠の向上を図ることもできる。
【００１２】
発明５に係るスピニングリールのロータは、発明２から４のいずれかに記載のロータにおいて、凹凸部は、カバー部材を貫通する貫通孔である。この場合には、貫通孔により多彩な意匠の変化を実現できる。
【００１３】
発明６に係るスピニングリールのロータは、発明１から４のいずれかに記載のロータにおいて、凹凸部は、ロータアームの外表面から凹んで形成された凹部である。この場合には、貫通しない凹部により多彩な意匠の変化を実現できるとともに、内部を密閉できるので、ロータアームの内部に機構を設けても機構が腐食しにくくなる。
【００１４】
発明７に係るスピニングリールのロータは、発明１から４のいずれかに記載のロータにおいて、凹凸部は、ロータアームの外表面から突出して形成された凸部である。この場合には、貫通しない凸部により多彩な意匠の変化を実現できるとともに、カバー部材内部の空間が広くなるので、ロータアームの内部に機構を収納しやすくなる。
【００１５】
【発明の実施の形態】
〔全体構成及びリール本体の構成〕
図１及び図２において、本発明の一実施形態を採用したスピニングリールは、ハンドル１を回転自在に支持され釣り竿に装着されるリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、図１に示すリール本体２の左側と、図２に示すリール本体２の右側とのいずれにも装着可能である。
【００１６】
リール本体２は、ロータ３やスプール４を支持する筐体部２ａと、筐体部２ａに着脱自在にねじ止めされた蓋体部２ｂとを主に有している。
筐体部２ａはたとえばガラス繊維で強化されたポリアミド系合成樹脂製であり、射出成形法により製造された部材である。筐体部２ａは開口を有し、内部には機構収納空間２６が形成されている。機構収納空間２６には、ロータ３を回転させるためのロータ駆動機構５と、スプール４を前後移動させて釣り糸を均一に巻き取るためのオシレーティング機構６と、ハンドル１の回転をオシレーティング機構６に伝達する動力伝達機構（図示せず）とが設けられている。筐体部２ａの前部には、ロータを回転自在に支持するための略円形の回転支持部２７が設けられている。
【００１７】
蓋体部２ｂはたとえばアルミニウム合金製であり、たとえばダイキャスト法により製造された部材である。蓋体部２ｂは、図１に示すように、筐体部２ａの開口２５を覆う薄肉のカバー部３５と、カバー部３５から上方に延びる取付脚部３６とを有している。カバー部３５は、上部は、リール本体２の厚みの略半分の厚みで形成されており、下部では筐体部２ａの突出に伴ってそれより厚みが薄くなっている。
【００１８】
〔ロータの構成〕
ロータ３は、図２に示すように、後端が開口した凹陥部３ａが形成され、リール本体２の一端に回転自在に装着された円筒部３０と、円筒部３０の側方に互いに対向してそれぞれ設けられた第１及び第２ロータアーム３１，３２と、両ロータアーム３１，３２の先端に揺動自在に装着され、釣り糸をスプールに案内するベールアーム４４とを有している。円筒部３０と両ロータアーム３１，３２とは、たとえば合成樹脂製であり一体形成されている。
【００１９】
円筒部３０は、筐体部２ａの回転支持部２７の外周側に配置されている。円筒部３０の前部には前壁３３が形成されており、前壁３３の中央部にはボス３３ａが形成されている。このボス３３ａの貫通孔をピニオンギア１２の前部１２ａ及びスプール軸１５が貫通している。前壁３３の前方側にはナット３４が配置されており、このナット３４がピニオンギア１２の前部１２ａに形成された雄ネジ部に螺合してロータ３をピニオンギア１２に固定している。
【００２０】
第１ロータアーム３１は、図３及び図４に示すように、円筒部３０の後部外周面に配置された第１接続部３１ａと、第１接続部３１ａから外方に凸に湾曲しつつ前方に延びる第１アーム部３１ｂと、第１接続部３１ａ及び第１アーム部３１ｂの外方を覆う第１カバー部材４６とを有している。第１接続部３１ａは、円筒部３０の後端部で周方向に広がっており、円筒部３０と周方向に滑らかに連続して形成されている。第１アーム部３１ｂは、第１接続部３１ａと滑らかに連続して形成され円筒部３０と間隔をあけて前方に延びている。第１アーム部３１ｂは、スプール軸１５に対して略２度の角度で先端側が拡がるように前方に延びている。第１アーム部３１ｂの先端の外周側には、第１ベール支持部材４０が揺動自在に装着されている。
【００２１】
第１ベール支持部材４０は、第１ロータアーム３１にねじ込まれた取付ピン３７により第１ロータアーム３１に取り付けられる。この取付ピン３７は引っかかりが少ない六角孔付きボルトからなり、その頭部に釣り糸が引っかかりにくくなっている。第１ベール支持部材４０の先端には、釣り糸をスプール４に案内するためのラインローラ４１と、ラインローラ４１を挟んで第１ベール支持部材４０に固定された固定軸カバー４５とが装着されている。ラインローラ４１は、第１ベール支持部材４０の先端に回転自在に装着されている。固定軸カバー４５は、先端がとがった変形円錐形状であり、固定軸カバー４５にはラインローラ４１を回転自在に支持するための固定軸４５ａが一体形成されている。固定軸４５ａの先端は、第１ベール支持部材４０に固定されている。
【００２２】
第２ロータアーム３２は、図３及び図５に示すように、円筒部３０の後部外周面に第１接続部３１ａと対向して配置された第２接続部３２ａと、第２接続部３２ａから外方に凸に湾曲しつつ前方に延びる第２アーム部３２ｂと、第２接続部３２ａ及び第２アーム部３２ｂの外方を覆う第２カバー部材４７とを有している。第２接続部３２ａは、円筒部３０と周方向に滑らかに連続して形成されている。第２アーム部３２ｂも、第２接続部３２ａと滑らかに連続して形成され円筒部３０と間隔をあけて前方に延びている。第２アーム部３２ｂは、スプール軸１５に対して略２度の角度で先端側が拡がるように前方に延びている。第２アーム部３２ｂは、根元側には略三角形状の開口３２ｃが形成されている。第２アーム部３２ｂの先端外周側には、第２ベール支持部材４２が揺動自在に装着されている。
【００２３】
固定軸カバー４５の先端部と第２ベール支持部材４２との間には、図３に示すように線材を略Ｕ状に湾曲させた形状のベール４３が固定されている。これらの第１及び第２ベール支持部材４０，４２、ラインローラ４１、ベール４３及び固定軸カバー４５により釣り糸をスプール４に案内するベールアーム４４が構成される。ベールアーム４４は、図２に示す糸案内姿勢とそれから反転した糸開放姿勢との間で揺動自在である。
【００２４】
第１及び第２カバー部材４６，４７は、第１及び第２ロータアーム３１，３２の外周側にはビスによりそれぞれ着脱自在に装着されている。
第１カバー部材４６は、第１ロータアーム３１の径方向外側を完全に覆う形状であり、その内部にはベールアーム４４を糸開放姿勢から糸案内姿勢にロータ３の回転に連動して復帰させるとともに、両姿勢でその状態を保持するベール反転機構４８が配置されている。
【００２５】
第２カバー部材４７は、第２ロータアーム３２の径方向外側を覆う形状である。第２カバー部材４７には、図６及び図７に示すように、第２アーム部３２ｂの開口３２ｃの一部を露出するように凹凸部である３つの長円形の貫通孔６５ａ，６５ｂ，６５ｃが形成されている。この貫通孔６５ａ，６５ｂ，６５ｃは、質量を調整する質量調整部として機能するとともに第２カバー部材４７の傷の拡がりを防止するための傷つき防止部として機能する。貫通孔６５ａ，６５ｂ，６５ｃは、他の部分より内方に凹んだ位置に形成されており、第２カバー部材４７の表面との間には、貫通孔６５ａ，６５ｂ，６５ｃの周縁に向けて傾斜するように僅かに凹んだ凹み部６６ａ，６６ｂ，６６ｃが形成されている。
【００２６】
このような貫通孔６５ａ，６５ｂ，６５ｃ及び凹み部６６ａ，６６ｂ，６６ｃを設けることにより同一形状のロータアーム３１，３２に対して異なる意匠を提供でき、複数機種のリールの展開を図る上で機種に応じた意匠を提供できる。また、貫通孔６５ａ，６５ｂ，６５ｃにより質量を調節できるので、開口３２ｃの露出度合いが異なるカバー部材４７の回転バランスの変動を抑えることができるようになる。
【００２７】
ここで、複数の凹凸部（貫通孔６５ａ，６５ｂ，６５ｃ）を設けた理由は下記の通りである。
第２カバー部材４７に凹凸部をひとつだけ設けると、地面との接触面積を減らすことはできる。しかし、凹凸部の縁部での接触部分での接触圧力が高くなり傷が深くなりやすく、やはり見栄えが悪いものになる。そこで、本実施形態では、貫通孔６５ａ，６５ｂ，６５ｃで構成される３つの凹凸部を複数設けているので、凹凸部の縁部で接触圧力を低く抑えることができ、傷が深くなりにくい。このため、釣り竿に装着された状態で地面に置いたときの第２カバー部材４７の地面との接触面積が減少し、接触面積を減らして深い傷が拡がるのを防止できる。
【００２８】
また、第２アーム部３２ｂを意識して地面に接触する側（釣り竿から遠い側）に配置することにより、ロータ３を回転操作すれば、必然的に釣り糸案内部が釣り竿に近い側（地面から遠い側）に配置されるので、釣り糸が何かに絡みつく等のトラブルを防止することができる。
【００２９】
このように構成されたロータ３では、ロータアーム３１，３２が外方に凸に湾曲して形成されているので、折れ曲がり部分がなくなり、その部分での応力集中が生じない。このため、応力が平均化されロータアームの肉厚を厚くすることなく強度を高く維持できる。したがって、ロータ３の軽量化を図りつつ強度を高く維持できる。しかも、円筒部３０と両接続部３１ａ，３２ａ及び両接続部３１ａ，３２ａと両アーム部３１ｂ，３２ｂとがそれぞれ滑らかに連続して形成されているので、それらの連続部分でも応力が集中しにくくなり、強度をより高く維持できる。さらに、第２ロータアーム３２に開口３２ｃを形成したので、より軽量化を図れる。また、両ロータアーム３１，３２の基端部が周方向に拡がるため、ロータアームの周方向の剛性も高くなり、強度をより高く維持できる。
【００３０】
ベール反転機構４８は、図４に示すように、先端が第１ベール支持部材４０に係止され、第１ロータアーム３１内を前後に移動する移動部材５５と、ベールアーム４４を糸開放姿勢と糸巻取姿勢とに振り分けて付勢するトグルばね機構５６と、回転支持部２７の前面に設けられた切換突起５７（図２）とを有している。
【００３１】
トグルばね機構５６は、先端が第１ベール支持部材４０に係止されたガイド軸５６ａと、ガイド軸５６ａの周囲に配置された先細りのコイルばね５６ｂとを有している。トグルばね機構５６は死点を挟んでベールアーム４４を糸開放姿勢と糸巻取姿勢とに振り分けて付勢する。トグルばね機構５６の死点は、糸開放姿勢側に近い位置に設定されている。
【００３２】
移動部材５５は、両端が逆方向に折り曲げられた線材製の部材である。移動部材５５は、リール本体２と接離する前後方向に移動自在に第１アーム部３１ｂに形成された案内溝３１ｃにより案内される。案内溝３１ｃのリール本体２側端部には、先端が半円形に切り欠かれた切欠き部３１ｄが形成されている。このように、切欠き部３１ｃの先端を半円形にすると、応力集中が生じにくくなるので、そこからのひび割れ等の損傷が生じにくくなる。移動部材５５の両端の折り曲げ角度α，βは、図８に示すように、たとえば９０度よりやや大きい９２度程度である。このように９０度よりやや大きい角度で折り曲げることにより、第１ロータアーム３１をスプール軸１５に対して２度程度先開きに形成しても、それに沿って移動部材５５を案内することができる。
【００３３】
図４に示すように、第１ロータアーム３１の根元側で移動部材５５は、押さえ部材６７により径方向外方から押さえ込まれており、浮き上がりが防止されている。押さえ部材６７は合成樹脂製の成形部材であり、移動部材５５を押さえる押さえ部６７ａと、コイルばね５６ｂの基端部を保持するばね保持部６７ｂとを有している。押さえ部材６７は、第１カバー部材４６の内面に接触して配置されており、押さえ部６７ａで移動部材５５の浮き上がりを防止している。ばね保持部６７ｂは、トグルばね機構５６のコイルばね５６ｂの基端部を一巻分前後方向で保持している。これにより、トグルばね機構５６が揺動してもコイルばね５６ｂがガイド軸５６ａに接触しにくくり、動作不良が生じにくくなる。
【００３４】
切換突起５７は、回転支持部２７の前部に前方に突出し周方向に傾斜して形成され傾斜面により構成されている。ハンドル１が糸巻取姿勢に回転すると、糸開放姿勢に揺動して後退した移動部材５５の基端部が切換突起５７に接触してベールアーム４４を糸案内姿勢に戻す。
【００３５】
また、ロータ３には、ベール反転機構４８を利用してロータ３を制動するロータ制動機構５８が設けられている。ロータ制動機構５８は、前述した移動部材５５と、糸開放姿勢のとき移動部材５５の基端面に接触するゴム製の制動部材５９とを備えている。ロータ制動機構５８では、糸開放姿勢に揺動したとき、移動部材５５が後退すると制動部材５９に接触してロータ３が制動される。この制動部材５９は、回転支持部２７に設けられた環状溝に装着されている。
【００３６】
凹陥部３ａ内にはロータ３の逆転防止機構５０が配置されている。逆転防止機構５０は、ローラ型のワンウェイクラッチ５１と、ワンウェイクラッチ５１を作動状態及び非作動状態に切り換える操作機構５２とを有している。ワンウェイクラッチ５１は、外輪が筐体部２ａに固定され、内輪がピニオンギア１２に回転不能に装着されている。操作機構５２は、筐体部２ａの後部に配置された操作レバー５３を有しており、操作レバー５３を揺動させることでワンウェイクラッチが２つの状態に切り換られ、作動状態のときにロータ３が逆転不能になり、非作動状態のときロータ３が逆転可能になる。
【００３７】
〔スプールの構成〕
スプール４は、ロータ３の第１ロータアーム３１と第２ロータアーム３２との間に配置されており、スプール軸１５の先端にドラグ機構６０を介して固定されている。スプール４は、たとえばアルミニウム合金製の部材であり、外周に釣り糸が巻き付けられる糸巻胴部４ａと、糸巻胴部４ａの後部に一体で形成されたスカート部４ｂと、糸巻胴部４ａの前部に固定された前フランジ部４ｃとを有している。糸巻胴部４ａはロータ３の円筒部３０の外周側まで延びる円筒状の部材である。
【００３８】
〔ロータ駆動機構の構成〕
ロータ駆動機構５は、図２に示すように、ハンドル１が回転不能に装着されたメインギア軸１０と、メインギア軸１０とともに回転するメインギア１１と、このメインギア１１に噛み合うピニオンギア１２とを有している。ピニオンギア１２は、ハンドルの回転に連動して回転する筒状の部材であり、前後に延びるスプール軸１５が内部を貫通している。ピニオンギア１２は、金属製の中空筒状部材であり、内部をスプール軸１５が貫通している。ピニオンギア１２は、中間部と後部とで筐体部２ａに軸受１４ａ，１４ｂを介して回転自在に支持されている。ピニオンギア１２の前部１２ａにロータ３が回転不能に装着されている。前側の軸受１４ａは、回転支持部２７の内部に装着された玉軸受である。後側の軸受１４ｂは、鍔付きのブッシュである。
【００３９】
〔オシレーティング機構の構成〕
オシレーティング機構６は、ハンドル１の回転に連動してスプール軸１５を介してスプール３を前後に往復移動させる機構である。オシレーティング機構６には動力伝達機構を介してハンドル１の回転が伝達される。オシレーティング機構６は、図２に示すように、スプール軸１５と平行に配置された螺軸２１と、螺軸２１の回転により螺軸２１に沿って前後方向に往復移動するスライダ２２と、螺軸２１の先端側に装着された従動ギア２３とを備えている。この従動ギア２３にピニオンギア１２の回転が動力伝達機構を介して減速して伝達される。スライダ２２にはスプール軸１５が回転不能に連結されており、これによりハンドル１の回転に連動して、スライダ２２が前後に移動し、スプール４が前後に往復移動する。
【００４０】
〔リールの操作及び動作〕
このスピニングリールでは、キャスティング時には、ベールアーム４４を糸巻取姿勢から糸開放姿勢に倒す。そして、釣り竿を振って仕掛けをキャスティングする。すると、スプール４の先端から釣り糸が螺旋状に放出される。
【００４１】
釣り糸巻取時には、ベールアーム４４を糸巻取姿勢に倒す。これは、ハンドル１を糸巻取方向に回転させるとベール反転機構４８により自動的に行われる。ハンドル１を糸巻取方向に回転させると、この回転力はメインギア軸１０及びメインギア１１を介してピニオンギア１２に伝達される。このピニオンギア１２に伝達された回転力は、ピニオンギア１２の前部１２ａを介してロータ３に伝達され、ロータ３が糸巻取方向に回転する。
【００４２】
一方、ピニオンギア１２に動力伝達機構を介して噛み合う従動ギア２３によって螺軸２１が回転する。そして、螺軸２１の回転により螺軸２１に噛み合うスライダ２２が前後方向に往復移動する。そして、ベールアーム４４によってスプール４に案内された釣り糸はスプール４の糸巻胴部４ａに巻き付けられ、スプール４に釣り糸が巻き付けられる。このロータ３回転時に第２カバー部材４７に質量調整部としての貫通孔６５ａ，６５ｂ，６５ｃを設けたので、開口の露出度合いを変えても回転バランスが変動しにくい。
【００４３】
〔他の実施形態〕
（ａ）前記実施形態では、第２カバー部材４７に形成された３つの貫通孔６５ａ，６５ｂ，６５ｃにより３つの凹凸部を構成したが、図９に示すような複数の凹部１６５や図１０に示すような複数の凸部２６５により複数の凹凸部を構成してもよい。このように貫通孔ではなく凹部又は凸部により凹凸部を構成すると、カバー部材の内部を密閉しやすくなり、内部に機構を収納しても腐食しにくくなる。また、凸部で凹凸部を構成するとカバー部材内部の空間が広くなり、ベール反転機構などの機構を収納しやすくなる。
【００４４】
（ｂ）前記実施形態では、スプール軸と平行な軸方向に延びる長円形の凹凸部を形成したが、凹凸部の形状は前記実施形態に限定されずどのような形状でもよい。たとえば、図１１に示すようにスプール軸に対して傾いた楕円形の凹凸部３６５ａ，３６５ｂであってもよく、図１２に示すように円形の凹凸部４６５ａ，４６５ｂ，４６５ｃであってもよい。また、凹凸部の数は前記実施形態に限定されずどのような数でもよい。たとえば、図１３に示すように多数の凹凸部５６５であってもよい。
【００４５】
（ｃ）前記実施形態では、フロントドラグ型のスピニングリールを例に説明したが、リアドラグ型やレバーブレーキ型のスピニングリールのロータにも本発明を適用できる。
【００４６】
（ｄ）前記実施形態では、第２ロータアームの外方を覆う第２カバー部材４７に複数の凹凸部を生成したが、第１ロータアームの外方を覆う第１カバー部材４６に複数の凹凸部を形成してもよく。両カバー部材４６，４７に凹凸部を形成してもよい。
【００４７】
（ｅ）前記実施形態では、ロータアームにカバー部材を装着したが、カバー部材を有さないロータアームに複数の凹凸部を形成してもよい。たとえば、図１４に示すように、カバー部材を有さない第２ロータアーム１３２の第２アーム部１３２ｂに複数の凹凸部６６５を形成してもよい。なお、この実施形態では、第２ベール支持部材１４２は、第２ロータアーム１３２の内側に揺動自在に装着されている。
【００４８】
【発明の効果】
本発明によれば、ロータアームの外表面に複数の凹凸部が形成されているので、釣り竿に装着した状態でスピニングリールの地面に置いた場合、地面との接触面積が複数の凹凸部がないものに比べて減少する。このため、使用により擦過傷ができてもそれが全体に拡がりにくくなり、ロータアームの傷つきによる見栄えの悪化を抑えることができる。しかも、プロテクターを設ける必要がないので、高級感を損なうことなくコストの増大を抑えることができる。
【図面の簡単な説明】
【図１】
本発明の一実施形態を採用したスピニングリールの側面図。
【図２】
その側面断面図。
【図３】
ロータの分解斜視図。
【図４】
第１ロータアームの平面図。
【図５】
第２ロータアームの平面図。
【図６】
第２カバー部材の平面図。
【図７】
図６のVII−VII断面図。
【図８】
移動部材の側面図。
【図９】
他の実施形態の図７に相当する図。
【図１０】
他の実施形態の図７に相当する図。
【図１１】
他の実施形態の図６に相当する図。
【図１２】
他の実施形態の図６に相当する図。
【図１３】
他の実施形態の図６に相当する図。
【符号の説明】
２  リール本体
３  ロータ
４  スプール
３０  円筒部
３１，３２  第１及び第２ロータアーム
４０，４２  第１及び第２ベール支持部材
４３  ベール
４４  ベールアーム
４５  固定軸カバー
４５ａ  固定軸
４７  第２カバー部材
６５ａ，６５ｂ，６５ｃ  貫通孔（凹凸部）
１６５  凹部（凹凸部）
２６５  凸部（凹凸部）
３６５ａ，３６５ｂ，４６５ａ，４６５ｂ，４６５ｃ，５６５  凹凸部